(57)【要約】  【課題】  小型でかつ簡易な構成で、記録ヘッドでのインクの圧力変動を抑えることができるインクジェット記録装置を提供する。  【解決手段】  キャリッジに、記録ヘッド１３、記録ヘッドにインクを供給するインク流路１４を有する流路筐体１１が搭載されている。弁体１２は、インク流路１４を閉塞する方向にバネ１６により付勢されている。記録ヘッド１３でのインク吐出により、弁収容室１４ａ内の圧力が低下すると、弁体１２がバネ１６に抗して開放され、弁収容室１４ａ内へインクが供給される。ユニット３の加速移動にともない、チューブ５ａから圧力の高いインクが記録ヘッド１３に向かって流入しようとすると、弁体１２が慣性によりインク流路１４を閉塞する方向に移動し、記録ヘッド１３でのインクの圧力上昇が抑えられる。  【選択図】        図２
2006306014.tif 000002
【特許請求の範囲】
【請求項１】
インク吐出口からインクを吐出して記録媒体に対して記録を行う記録ヘッドと、その記録ヘッドを搭載して往復移動するキャリッジと、そのキャリッジ外に設けられ前記記録ヘッドへ供給するインクを蓄えるインクタンクと、そのインクタンクから前記記録ヘッドへインクを供給する可撓性のあるインク供給部材とを備えたインクジェット記録装置において、
前記キャリッジ上には、前記インク供給部材から供給されるインクを前記記録ヘッドへ供給するインク流路と、前記キャリッジの移動方向に移動可能に配置され前記インク流路において前記記録ヘッドへのインクの供給を制御する弁体とが設けられ、
前記弁体は、常態では、前記インク流路に対して前記記録ヘッドへのインクの供給を制限する位置に付勢されており、
前記キャリッジが、前記インク供給部材から前記記録ヘッド側へインクの正圧が作用する方向に移動したとき、前記弁体は慣性により前記インクの供給を制限する位置に維持されることを特徴とするインクジェット記録装置。
【請求項２】
前記キャリッジが、前記インク供給部材から前記記録ヘッド側へインクの負圧が作用する方向に移動したとき、前記弁体は慣性により前記付勢に抗して前記インクの供給を許容する位置に移動されることを特徴とする請求項１に記載のインクジェット記録装置。
【請求項３】
前記弁体は、常態では、前記インク流路を閉塞する位置に付勢され、前記インク流路内の、前記弁体よりも前記記録ヘッド側部位での、前記記録ヘッドによるインク吐出にともなう負圧により前記付勢に抗して開放されることを特徴とする請求項１または２に記載のインクジェット記録装置。
【請求項４】
前記インク流路は、前記キャリッジの移動方向に開口する弁開口を有し、前記弁体はその弁開口に対し前記キャリッジの移動方向に接近、離隔する方向に移動可能であることを特徴とする請求項１から３のいずれかに記載のインクジェット記録装置。
【請求項５】
前記インク流路は、前記弁体を前記キャリッジの移動方向に移動可能に収容する弁収容室を有し、その弁収容室の一端に前記弁開口を備え、前記弁収容室を前記記録ヘッドに接続していることを特徴とする請求項４に記載のインクジェット記録装置。
【請求項６】
前記キャリッジは、前記インク流路を内部に有する流路筐体を備え、その流路筐体に前記記録ヘッドが固定されていることを特徴とする請求項１から５のいずれかに記載のインクジェット記録装置。
【請求項７】
前記インク供給部材は、前記キャリッジから、そのキャリッジの移動方向に引き出され、
前記弁体は、そのインク供給部材が引き出された方向に前記キャリッジが移動したとき、前記インクの供給を制限する位置に維持され、
前記弁体は、そのインク供給部材が引き出された方向と反対方向に前記キャリッジが移動したとき、前記前記インクの供給を許容する位置に移動されることを特徴とする請求項１から６のいずれかにインクジェット記録装置。
【発明の詳細な説明】
【技術分野】
【０００１】
本発明はインクジェット記録装置に関し、特に、記録ヘッドをキャリッジに搭載したものにおいて、キャリッジの加減速にともなう記録ヘッドへのインク供給圧力の変動を抑える装置を備えるインクジェット記録装置に関するものである。
【背景技術】
【０００２】
記録ヘッドをキャリッジに搭載したインクジェット記録装置においては、インクを蓄えるインクタンクから、可撓性のインク供給管（インクチューブ）を介して、記録ヘッドにインクを供給するチューブ供給方式が用いられている。
【０００３】
このチューブ供給方式のインクジェット記録装置は、記録ヘッドを搭載したキャリッジが、ガイドロッドに沿って往復移動しながら記録が行われるので、キャリッジが加減速移動することによってインクチューブ内のインクに慣性力が作用し、記録ヘッドへ供給するインクに圧力変動が生じてしまう。この圧力変動は、記録ヘッドのインク吐出性能に悪影響を与え、インク吐出量の変動やインク滴の形成状態の変化等の原因となり、記録画質に悪影響を及ぼすという問題があった。
【０００４】
この問題を解決するため、キャリッジ上のインク流路の一部に設けたバッファ室の一側を可撓性フィルムで構成したり、バッファ室内に空気を蓄えるなどして、バッファ室の体積を変えることで、圧力変動を吸収することが行われている。また、特開２００４−２６８４４８号公報には、可動弁の中央に連通孔を設け、常態ではその連通孔がインク流路と一致した位置にあって記録ヘッドへのインクの供給を可能にし、キャリッジの加減速時には、可動弁の慣性により連通孔がインク流路からずれて、インクの供給を制限する技術が提案されている。
【０００５】
【特許文献１】特開２００４−２６８４４８号公報
【発明の開示】
【発明が解決しようとする課題】
【０００６】
前者のバッファ室の体積を変えるものでは、圧力変動の吸収効果を大きくするために、可撓性フィルムの面積を大きく取るか、空気体積を一定量以上にする必要があり、装置を小型化する上で問題がある。
【０００７】
また、後者の可動弁がキャリッジの移動方向に慣性で移動するものでは、キャリッジの往復移動に対応して可動弁も連通孔に対して左右両方向に移動する空間が必要であり、やはり装置を小型化する上で問題がある。
【０００８】
本発明は、上述した問題点を解決するためになされたものであり、小型でかつ簡易な構成で、記録ヘッドでのインクの圧力変動を抑えることができるインクジェット記録装置を提供することを目的とする。
【課題を解決するための手段】
【０００９】
この目的を達成するために請求項１に記載のインクジェット記録装置は、インク吐出口からインクを吐出して記録媒体に対して記録を行う記録ヘッドと、その記録ヘッドを搭載して往復移動するキャリッジと、そのキャリッジ外に設けられ前記記録ヘッドへ供給するインクを蓄えるインクタンクと、そのインクタンクから前記記録ヘッドへインクを供給する可撓性のあるインク供給部材とを備えたものにおいて、前記キャリッジ上には、前記インク供給部材から供給されるインクを前記記録ヘッドへ供給するインク流路と、前記キャリッジの移動方向に移動可能に配置され前記インク流路において前記記録ヘッドへのインクの供給を制御する弁体とが設けられ、前記弁体は、常態では、前記インク流路に対して前記記録ヘッドへのインクの供給を制限する位置に付勢されており、前記キャリッジが、前記インク供給部材から前記記録ヘッド側へインクの正圧が作用する方向に移動したとき、前記弁体は慣性により前記インクの供給を制限する位置に維持される。
【００１０】
請求項２に記載のインクジェット記録装置は、請求項１に記載のものにおいて、前記キャリッジが、前記インク供給部材から前記記録ヘッド側へインクの負圧が作用する方向に移動したとき、前記弁体は慣性により前記付勢に抗して前記インクの供給を許容する位置に移動される。
【００１１】
請求項３に記載のインクジェット記録装置は、請求項１または２に記載のものにおいて、前記弁体が、常態では、前記インク流路を閉塞する位置に付勢され、前記インク流路内の、前記弁体よりも前記記録ヘッド側部位での、前記記録ヘッドによるインク吐出にともなう負圧により前記付勢に抗して開放される。
【００１２】
請求項４に記載のインクジェット記録装置は、請求項１から３のいずれかに記載のものにおいて、前記インク流路が、前記キャリッジの移動方向に開口する弁開口を有し、前記弁体がその弁開口に対し前記キャリッジの移動方向に接近、離隔する方向に移動可能である。
【００１３】
請求項５に記載のインクジェット記録装置は、請求項４に記載のものにおいて、前記インク流路が、前記弁体を前記キャリッジの移動方向に移動可能に収容する弁収容室を有し、その弁収容室の一端に前記弁開口を備え、前記弁収容室を前記記録ヘッドに接続している。
【００１４】
請求項６に記載のインクジェット記録装置は、請求項１から５のいずれかに記載のものにおいて、前記キャリッジが、前記インク流路を内部に有する流路筐体を備え、その流路筐体に前記記録ヘッドが固定されている。
【００１５】
請求項７に記載のインクジェット記録装置は、請求項１から６のいずれかに記載のものにおいて、前記インク供給部材が、前記キャリッジから、そのキャリッジの移動方向に引き出され、前記弁体が、そのインク供給部材が引き出された方向に前記キャリッジが移動したとき、前記インクの供給を制限する位置に維持され、前記弁体が、そのインク供給部材が引き出された方向と反対方向に前記キャリッジが移動したとき、前記前記インクの供給を許容する位置に移動される。
【発明の効果】
【００１６】
請求項１に記載のインクジェット記録装置は、弁体が、常態では、インク流路において記録ヘッドへのインクの供給を制限する位置に付勢されており、キャリッジが、インク供給部材から記録ヘッド側へインクの正圧が作用する方向に移動したとき、弁体が慣性によりインクの供給を制限する位置に維持されるので、記録ヘッド内においてインクの圧力が上昇することが抑えられ、その結果、記録ヘッドのインク吐出性能が維持され、高い品質の記録を行うことができる。
【００１７】
また、弁体の移動範囲が小さくても、記録ヘッドの所期のインク吐出性能が得られ、装置を小型に構成することができる。
【００１８】
請求項２に記載のインクジェット記録装置は、請求項１に記載ものが奏する効果に加え、キャリッジが、インク供給部材から記録ヘッド側へインクの負圧が作用する方向に移動したとき、前記弁体は慣性により前記付勢に抗して前記インクの供給を許容する位置に移動されるので、このとき、記録ヘッドによりインクが多量に吐出されていて記録ヘッド内の圧力が低下していると、記録ヘッドへインクが容易に供給され、記録ヘッドのインク吐出性能が維持され、高い品質の記録を行うことができる。
【００１９】
請求項３に記載のインクジェット記録装置は、請求項１または２に記載のものが奏する効果に加え、弁体が、常態では、インク流路を閉塞する位置に付勢され、インク流路内の、弁体よりも記録ヘッド側部位での、記録ヘッドによるインク吐出にともなう負圧により付勢に抗して開放されるので、記録ヘッドによりインクが吐出されて記録ヘッド内の圧力が低下すると、記録ヘッドへインクが供給されるとともに記録ヘッド内の圧力がほぼ一定に維持され、高い品質の記録を行うことができる。また、弁体が上記閉塞位置から開放位置へ移動することで、上記効果を実現できるから、弁体の移動範囲が小さくてもよく、装置を小型に構成することができる。
【００２０】
請求項４に記載のインクジェット記録装置は、請求項１から３のいずれかに記載のものが奏する効果に加え、インク流路が、キャリッジの移動方向に開口する弁開口を有し、弁体がその弁開口に対しキャリッジの移動方向に接近、離隔する方向に移動可能であるので、キャリッジの移動にともない弁体が慣性により弁開口に対し接近、離隔してインクの供給を制限あるいは許容することができ、その結果、記録ヘッドでのインクの圧力変動を抑え、高い品質の記録を行うことができる。
【００２１】
請求項５に記載のインクジェット記録装置は、請求項４に記載のものが奏する効果に加え、インク流路が、弁体をキャリッジの移動方向に移動可能に収容する弁収容室を有し、その弁収容室の一端に弁開口を備え、弁収容室を記録ヘッドに接続しているので、キャリッジの移動にともない弁体が慣性により弁開口に対し容易に接近、離隔して記録ヘッドでのインクの圧力変動を抑えることができる。また、弁体がインク流路の弁収容室に収容されるから、装置を小型に構成することができる。
【００２２】
請求項６に記載のインクジェット記録装置は、請求項１から５のいずれかに記載のものが奏する効果に加え、キャリッジが、インク流路を内部に有する流路筐体を備え、その流路筐体に記録ヘッドが固定されているので、装置を小型に構成することができる。
【００２３】
請求項７に記載のインクジェット記録装置は、請求項１から６のいずれかに記載のものにおいて、インク供給部材が、キャリッジから、そのキャリッジの移動方向に引き出され、弁体が、そのインク供給部材が引き出された方向にキャリッジが移動したとき、インクの供給を制限する位置に維持され、弁体が、そのインク供給部材が引き出された方向と反対方向にキャリッジが移動したとき、インクの供給を許容する位置に移動されるので、キャリッジから引き出されたインク供給部材内のインクがキャリッジの移動にともない慣性により移動しても、弁体の作用により記録ヘッドでの圧力変動が効果的に抑えられ、高い品質の記録を行うことができる。
【発明を実施するための最良の形態】
【００２４】
以下、本発明の実施の形態を図面したがって説明する。図１に示すように、このインクジェット記録装置１は、略箱状体に形成された記録装置本体２と、その内部に装着された記録ヘッドユニット３と、インクタンク４ａ〜４ｄと、そのインクタンクから記録ヘッドユニット３へインクを供給する可撓性のインク供給部材すなわちインクチューブ５ａ〜５ｄとを備えている。
【００２５】
記録ヘッドユニット３はキャリッジ３ａに搭載され、キャリッジ３ａはガイドロッド７に記録媒体の搬送方向と直交する方向（Ａ）に移動可能に支持されている。キャリッジ３ａは、公知のようにモータ駆動されるベルトによって記録媒体に沿って往復移動される。
【００２６】
インクタンク４は、各記録ヘッドに供給するインクを貯溜しておくためのものであり、キャリッジ３ａの外の静止位置たとえば記録媒体の搬送経路の下方に配設されている。インクタンク４は、キャリッジ３ａの移動方向に、ブラック、イエロー、シアン、マゼンタのインクが収容されている４つのインクタンク４ａ〜４ｄで構成されており、インクチューブ５ａ〜５ｄを介してインクを記録ヘッドユニット３に供給する。
【００２７】
記録ヘッドユニット３は、図２に示すように、内部にインク流路１４を有する流路筐体１１と、その流路筐体１１の記録媒体と対向する下面に前記４色のインクに対応する４個の記録ヘッド１３（１個のみ図示）とを備える。各記録ヘッド１３は、公知の構成と同様に複数の圧力室（図示せず）とそれに対応して下面に開口した複数のインク吐出口（図示せず）を有し、圧電素子、発熱抵抗素子などの圧力発生手段の駆動によりインク吐出口から下向きにインクを吐出する。
【００２８】
インク流路１４は、各記録ヘッド１３に対応して、４つのインク流路が並べて設けられるが、すべて同じ構成であるので、図２に１つのみ示す。インク流路１４は、流路筐体１１内においてキャリッジの移動方向と平行に延びる中心軸線を有する弁収容室１４ａと、その弁収容室の中心軸線方向の一端に弁開口１４ｄを介して連通した導入路１４ｂと、その導入路１４ｂから前記中心軸線方向に離れた位置において弁収容室１４ａに連通する導出路１４ｃとからなる。導出路１４ｃは、記録ヘッド１３内に連通し、その記録ヘッド１３にインクを供給する。
【００２９】
導入路１４ｂは、インクチューブ５ａを介してインクタンク４ａに連通している。各インクチューブ５ａ〜５ｄは、図１に示すように、キャリッジ３ａからそのキャリッジの移動方向に引き出されている。弁収容室１４ａは、そのインクチューブ５ａ〜５ｄが引き出された方向と平行でかつ同方向に、弁開口１４ｄから延びている。
【００３０】
弁収容室１４ａ内には、弁体１２が、その外周にインクの流通を可能にする隙間を残して前記中心軸線方向に移動可能に収容されている。弁体１２は、弁収容室１４ａ内に収容されたバネ１６により、常時前記中心軸線方向に付勢され、常態では弁収容室１４ａの弁開口１４ｄ側の壁面１４ｅに当接し、その弁開口１４ｄを閉塞している。弁体１２と弁収容室１４ａの壁面１４ｅとの間には、シール材１５が挿入されている。
【００３１】
弁体１２は、インク流路１４に充填されるインクよりも比重の大きな材料で構成され、キャリッジ３の移動にともない、その重量による慣性が作用する。また、記録ヘッド１３からのインク吐出により、弁収容室１４ａ内のインクが消費され、その空間内の圧力が所定値よりも低下すると、図３に示すように、弁体１２がバネ１６の付勢力に抗して移動し、弁開口１４ｄを弁収容室１４ａに対して開口させる。その結果、インクタンク４ａからインクが供給されるとともに、弁収容室１４ａ内の圧力が一定に維持されるようになっている。バネ１６の付勢力は、弁収容室１４ａから記録ヘッド１３に供給されるインクの圧力が、公知のように大気圧よりも低いほぼ一定の負圧（いわゆる背圧）になるように設定されている。
【００３２】
キャリッジ３が停止、あるいは等速移動しているときには、弁体１２はバネ１６の付勢力により弁収容室１４ａ内に対して弁開口１４ｄを閉塞している。キャリッジ３が図１において左方向、すなわちチューブ５ａが引き出されている方向に加速されると、そのチューブ５ａ内のインクが慣性によりキャリッジ側に流入し導入路１４ｂ内の圧力を高める。
【００３３】
このとき、記録ヘッドユニット３も図２において左方向に加速されるが、弁体１２は、慣性により弁開口１４ｄ側へ強く押しつけられ、導入路１４ｂ内の高い圧力のインクが記録ヘッド１３へ流入するのを阻止する。その結果、記録ヘッド内においてインクの圧力が上昇することが抑えられてほぼ一定の圧力に保たれ、記録ヘッドのインク吐出性能が維持され、高い品質の記録を行うことができる。
【００３４】
キャリッジ３が図１において右方向、すなわちチューブ５ａが引き出されている方向と反対の方向に加速されると、そのチューブ５ａ内のインクが慣性によりキャリッジから離れる方向に流れ、導入路１４ｂ内の圧力を下げる、つまり負圧にする。また図３に示すように、弁体１２は、慣性により弁開口１４ｄから離れる、つまり弁開口１４ｄを開放する方向に移動する。このとき、記録ヘッドによりインクが多量に吐出されていて記録ヘッド内の圧力が低下していると、記録ヘッドへのインク供給が許容され、記録ヘッドのインク吐出性能が維持され、高い品質の記録を行うことができる。
【００３５】
キャリッジ３が停止しているときに記録ヘッドの目詰まり防止のための吐出、あるいは等速移動しているときに記録媒体へ記録のための吐出をする場合には、前述のとおり、記録ヘッド１３からのインク吐出により、弁収容室１４ａ内のインクが消費されて、その空間内の圧力が低下すると、図３に示すように、弁体１２がバネ１６の付勢力に抗して移動し、弁開口１４ｄが弁収容室１４ａに対して開口され、インクタンク４ａからインクが供給される。その結果、弁収容室１４ａ内の圧力が一定に保たれ、記録ヘッドのインク吐出性能が維持される。
【００３６】
図４は他の実施の形態を示すもので、前記実施の形態と対応する部分は、同一の番号を付して説明を省略する。この実施の形態の弁収容室１４ａおよび弁体１２は、キャリッジの移動方向に対して前記実施の形態と同様の向きに配置される。
【００３７】
この実施の形態において弁体１２は、弁収容室１４ａの弁開口１４ｄ側の壁面１４ｅと対向する面に、同心環状の二重のリブ１２ａ、１２ｂを壁面１４ｅへ向け突出して有している。そのリブは、ゴム状の弾性を有し、バネ１６の付勢力により弁収容室１４ａの壁面１４ｅに当接したときシール材を兼ねる。内側リブ１２ａは、弁開口１４ｄを囲んで弁収容室１４ａの壁面１４ｅに当接し、外側リブ１２ｂは、内側リブ１２ａから半径方向に間隔をおいて弁収容室１４ａの壁面１４ｅに当接し、その当接状態において、内側と外側のリブ１２ａ、１２ｂ間は、弁開口１４ｄおよび弁収容室１４ａから独立して密閉された空間１７を形成する。
したがって、内側のリブ１２ａが壁面１４ｅと当接する位置よりも内側において、弁体１２の開放方向（移動方向）と直交する弁体１２の面の面積Ｂと、壁面１４ｅとは反対側の弁体１２の面であって外側のリブ１２ｂが壁面１４ｅと当接する位置よりも内側に対応する面の面積Ａとは、Ａ＞Ｂの関係にある。つまり、面積Ｂには、弁開口１４ｄから弁体１２を開放する方向にインクの圧力が作用する一方、弁収容室１４ａ内のインクの消費にともないその空間内の圧力が低下すると、面積Ａに、弁収容室１４ａ内側からも弁体１２を開放する方向にインクの圧力が作用する。面積Ａは面積Ｂよりも大きいから、弁体１２は、容易に、つまり弁収容室１４ａ内の圧力変化に対して応答性よくバネ１６の付勢力に抗して開放することになる。
【００３８】
弁収容室１４ａはインクが充填されているので、弁体１２が弁収容室１４ａの壁面１４ｅに当接した状態でも、この両リブ１２ａ、１２ｂ間の空間１７には、インクが充填されている。その空間１７内のインクの圧力は、弁体１２が弁収容室１４ａの壁面１４ｅに当接する直前の、弁収容室１４ａ内の圧力と同等である。つまり、弁開口１４ｄが開放されたとき、チューブ５ａ内のインクの圧力が弁体１２に作用するから、空間１７内のインクの圧力は、ほぼチューブ５ａ内のインクの圧力、すなわちほぼ大気圧となり、弁体１２が弁開口１４ｄを閉塞した後、弁収容室１４ａ内の圧力が、インクの吐出にともない低下するので、空間１７内のインクの圧力は、弁収容室１４ａ内の圧力よりも相対的に高くなる。
【００３９】
したがって、空間１７内に閉じこめられたインクの圧力が弁体１２を開放する方向に作用することになり、また、上記面積Ａ，Ｂの差による圧力も協働して、弁体１２を弁開口１４ｄの閉鎖位置に付勢するバネ１６の付勢力は、（空間１７内にインクを閉じこめないものに比して）小さいものでよく、弁収容室１４ａ内の圧力変化に対して、弁体１２の応答性をよくすることができ、記録ヘッド１３における圧力変動を小さくして、インク吐出性能をほぼ均一に維持することができる。
【００４０】
この実施の形態の弁体１２も、前述の実施の形態と同様に、記録ヘッドの走査方向に移動可能に設けられているから、その走査にともなうインクの圧力変動も抑えることができる。上記リブ１２ａ、１２ｂ間の空間１７は、弁体１２に形成するのではなく、それと対向する弁収容室１４ａの壁面１４ｅに形成することもできる。
なお、リブ１２ａ、１２ｂ間の空間１７は設けず、上記面積Ａ，Ｂの差による圧力のみによって、圧力変化に対する弁体１２の応答性をよくしてもよい。
図５は、さらに他の実施の形態を示すもので、図４の実施の形態と対応する部分は、同一の番号を付して説明を省略する。この実施の形態の弁収容室１４ａおよび弁体１２は、キャリッジの移動方向に対して前記実施の形態と同様の向きに配置される。
この実施の形態において弁体１２は、図４の実施の形態とほぼ同様の形状であるが、上記リブ１２ａ、１２ｂ間の環状凹部の底に、環状の質量体１２ｃが埋め込まれている。質量体１２ｃは、弁体１２を第２の実施の形態のものよりも重くするもので、インクの比重や弁体１２のゴムの比重などよりも重いのはもちろん、好ましくは鉄などの金属が用いられる。
チューブ５ａ内のインクが正圧をもって弁開口４ｂへ流れる方向にキャリッジ３が加速したとき、弁体１２も、質量体１２ｃの慣性により、壁面１４ｅを押圧する。これにより、弁開口４ｂからインクの大きな正圧が弁体１２を開放する方向に作用しても、弁体１２は弁開口４ｂの閉鎖状態をさらに強固に維持する。したがって、弁収容室１４ａ内の圧力変動が抑えられる。
【００４１】
なお、上記両実施の形態において、常態では弁体１２が、弁開口１４ｄを完全閉塞する構成としたが、閉塞状態でもわずかの流路を残してインクが大きな流路抵抗でわずか供給できるようにしても差し支えない。
【図面の簡単な説明】
【００４２】
【図１】本発明の実施の形態のインクジェット記録装置の平面図である。
【図２】図１のＩＩ−ＩＩ断面線における記録ヘッドユニットの断面図である。
【図３】図２の動作説明図である。
【図４】他の実施の形態の記録ヘッドユニットの断面図である。
【図５】さらに他の実施の形態の記録ヘッドユニットの断面図である。
【符号の説明】
【００４３】
１３              記録ヘッド
１１              流路筐体
５ａ              インクチューブ
１２              弁体
１４              インク流路
１４ａ            弁収容室
１４ｄ            弁開口
【図１】
2006306014.tif 000003
【図２】
2006306014.tif 000004
【図３】
2006306014.tif 000005
【図４】
2006306014.tif 000006
【図５】
2006306014.tif 000007